(57)【要約】【課題】天面吸入グリルを前面枠に確実に装着できる空気調和機を提供する。【解決手段】外郭の一部を構成するとともに天面に天面開口部３を有する前面枠１と、前記前面枠１に対して着脱可能な天面吸入グリル２を備え、前記前面枠１は前記天面吸入グリル２の前面側を係合して固定する前面固定部４ａと、前記天面吸入グリル２の背面側で相互に嵌合すると共に前記天面吸入グリル２の前後方向の動きを規制する背面係止部７ａを有するもので、天面吸入グリル２の前後方向の動きが規制されるので室内ユニットに多少ひずみが生じても前面枠１に天面吸入グリル２が確実に装着できる。【選択図】図１
2005140401.tif 000002
【特許請求の範囲】
【請求項１】
外郭の一部を構成するとともに天面に天面開口部を有する前面枠と、前記前面枠に対して着脱可能な天面吸入グリルを備え、前記前面枠は前記天面吸入グリルの前面側を係合して固定する前面固定部と、前記天面吸入グリルの背面側で相互に嵌合すると共に前記天面吸入グリルの前後方向の動きを規制する背面係止部を有することを特徴とする空気調和機。
【請求項２】
前面枠側の背面係止部を凸形状とし、天面吸入グリル側の背面係止部を前記凸形状に係止する形状で形成したことを特徴とする請求項１記載の空気調和機。
【請求項３】
前面枠に配設される背面係止部に天面吸入グリルの装着方向に対して傾斜部を設けたことを特徴とする請求項１または２記載の空気調和機。
【請求項４】
前面固定部を室内ユニットの長手方向に複数配設し、背面係止部を前記前面固定部間の略中央部の背面側に配置したことを特徴とする請求項１〜３のいずれか１項記載の空気調和機。
【発明の詳細な説明】
【技術分野】
【０００１】
本発明は、空気調和機に関し、特に室内ユニットに関するものである。
【背景技術】
【０００２】
従来の空気調和機の室内ユニットについて、図５、６、７を参照しながら説明する。
【０００３】
従来の室内ユニットは、図５に示すように、外郭の一部を構成する前面枠１と、前面枠１に着脱可能な天面吸入グリル２を備えており、前面枠１は天面吸入グリル２を取付ける天面開口部３と、前面側で係合する前面固定部４ａ、背面側で上下方向を規制する固定部４ｂと、天面開口部３両端に天面吸入グリル２を保持する第１のガイド面５ａ及び第２のガイド面５ｂと略平行に配置されたガイドリブ６を有している。
【０００４】
天面吸入グリル２には、前記前面固定部４ａと固定部４ｂのそれぞれに相対する前面固定部４ｃと固定部４ｄが設けれている。また、前面枠１や天面吸入グリル２は加工性や軽量性等の理由からＰＳなどの樹脂材料で構成されている。
【０００５】
このような構成により天面吸入グリル２の装着は、前面枠１のガイド面５ａ、５ｂ及びガイドリブ６に沿わせ、固定部４ｂ、４ｄを支点に天面吸入グリル２を回転させ、前面固定部４ａ、４ｃを係合させる。また、天面吸入グリル２を取りはずす際はこの逆の手順によってなされる（例えば、特許文献１参照）。
【特許文献１】特開平１１−３５１６０８号公報
【発明の開示】
【発明が解決しようとする課題】
【０００６】
しかしながら、空気調和機の室内ユニットが室内壁面に据付られると、室内ユニットの自重により室内ユニットにたわみが発生し、図６のように室内ユニットに対して天面吸入グリル２を装着した時に、天面吸入グリル２が図７のＡ部、Ｂ部に示されるようにずれが発生し、前面枠１と天面吸入グリル２が確実に装着されないという課題を有していた。また、室内ユニットの外殻を構成する部品の大半が樹脂で構成されていることもあり、室内ユニットの係止の状態、接続配管の引きまわしによる応力などにより上述のたわみがさらに大きくなることもあった。
【０００７】
本発明はこのような従来の課題を解決するものであり、室内ユニットに係止状態などによるひずみが多少発生したとしても、前面枠に天面吸入グリルが確実に装着できる空気調和機を提供することを目的とするものである。
【課題を解決するための手段】
【０００８】
上記従来の課題を解決するために、本発明の空気調和機は、外郭の一部を構成するとともに天面に天面開口部を有する前面枠と、前記前面枠に対して着脱可能な天面吸入グリルを備え、前記前面枠は前記天面吸入グリルの前面側を係合して固定する前面固定部と、前記天面吸入グリルの背面側で相互に嵌合すると共に前記天面吸入グリルの前後方向の動きを規制する背面係止部を有するもので、天面吸入グリルの前後方向の動きが規制されているので室内ユニットに多少ひずみが生じても前面枠に天面吸入グリルが確実に装着できる。
【発明の効果】
【０００９】
本発明の空気調和機は、室内ユニットに係止状態などによるひずみが多少発生したとしても、前面枠に天面吸入グリルが確実に装着できるものである。
【発明を実施するための最良の形態】
【００１０】
第１の発明は、 外郭の一部を構成するとともに天面に天面開口部を有する前面枠と、前記前面枠に対して着脱可能な天面吸入グリルを備え、前記前面枠は前記天面吸入グリルの前面側を係合して固定する前面固定部と、前記天面吸入グリルの背面側で相互に嵌合すると共に前記天面吸入グリルの前後方向の動きを規制する背面係止部を有するもので、天面吸入グリルの前後方向の動きが規制されているので、室内ユニットの壁面据付時に室内ユニットの自重、接続配管の引きまわしによる応力により、室内ユニットにたわみが生じても、天面吸入グリルが前面枠に確実に装着されるものである。
【００１１】
第２の発明は、特に、第１の発明の前面枠側の背面係止部を凸形状とし、天面吸入グリル側の背面係止部を前記凸形状に係止する形状で形成したもので、前面枠の凸形状の背面係止部が天面吸入グリルの背面係止部に挿入されることにより、前面枠に天面吸入グリルが確実に装着される。
【００１２】
第３の発明は、特に、第１又は第２の発明の前面枠に配設される背面係止部に天面吸入グリルの装着方向に対して傾斜部を設けたもので、天面吸入グリルを、前面枠背面側を支点に回転し、着脱する際に、天面吸入グリルの係止部と前面枠の係止部の凸形状部が干渉することなく、スムーズに天面吸入グリルの着脱を行うことができる。
【００１３】
第４の発明は、特に、第１〜３の発明のいずれか１つの発明の前面固定部を室内ユニットの長手方向に複数配設し、背面係止部を前記前面固定部間の略中央部の背面側に配置したもので、天面吸入グリルを装着時、前面固定部間の略中央部の背面側の係止部により、天面吸入グリル装着時、前後方向のずれを防止するため、複数配設された前面固定部を容易に係合させることができる。
【００１４】
以下、本発明の実施の形態について、図面を参照しながら説明する。なお、この実施の形態によって本発明が限定されるものではない。
【００１５】
（実施の形態１）
以下、本発明の第１の実施の形態について図１〜３を参照して説明する。なお、従来の技術と同一部分については同一符号を付して、その説明を省略する。
【００１６】
図１は、本実施の形態における空気調和機の室内ユニットを示しており、外郭の一部を構成する前面枠１と、前面枠１に対して着脱可能な天面吸入グリル２を備えている。前面枠１は、天面吸入グリル２を取付ける天面開口部３と前面側で係合する前面固定部４ａ、背面側で上下方向を規制する固定部４ｂと、天面開口部３両端に天面吸入グリル２を保持する第１のガイド面５ａ及び第２のガイド面５ｂと、天面開口部３の第１のガイド面５ａと第２のガイド面５ｂと略平行に配置されたガイドリブ６とを有し、室内ユニット背面側に天面吸入グリル２と相互に嵌合して前後方向を規制して係止する凸形状の背面係止部７ａを有している。
【００１７】
天面吸入グリル２には、前面固定部４ａと固定部４ｂに相対する前面固定部４ｃと固定部４ｄと、前面枠１の背面係止部７ａに相対するとともに前記背面係止部７ａと嵌合するように穴状の背面係止部７ｂが設けられている。
【００１８】
また、前面固定部４ａ、４ｃは室内ユニットの前面側で長手方向に複数設けられ、背面係止部７ａ、７ｂは前記前面固定部４ａ、４ｃ間の略中央の背面側に設けられている。
【００１９】
上記構成により、図２のように室内ユニットに天面吸入グリル２を装着する時は、前面枠１のガイド面５ａ、５ｂ及びガイドリブ６に沿わせて天面吸入グリル２を後方にスライドさせて、室内ユニット側の固定部４ｂと、天面吸入グリル２の固定部４ｄとを係合した後、その部分を支点に天面吸入グリル２を回転させ、天面吸入グリル２の前面固定部４ｃを前面枠１の前面固定部４ａに係合させる。前面固定部４ｃと前面固定部４ａが係合される時に同時に、図３に示すように、前面枠１の背面係止部７ａと天面吸入グリル２の背面係止部７ｂが嵌合され、天面吸入グリル２が前面枠１に確実に装着され、室内ユニットを壁面に据付時に、天面吸入グリル２がずれることを防止することができる。なお、上記実施の形態では、背面係止部７ｂを穴状に形成したが、背面係止部７ａに嵌合する凹形状であってもよい。
【００２０】
また、前面固定部４ａ、４ｃが室内ユニットの前面側で長手方向に複数設けられ、背面係止部７ａ、７ｂはそれに対して前面固定部４ａ、４ｃ間の略中央の背面側に設けられているので、前面枠１の固定部４ｂと天面吸入グリル２の固定部４ｄを支点に回転させ、天面吸入グリル２を装着させる際、まずはじめに背面係止部７ａと７ｂが相互に嵌合されることにより、前後方向のずれが規制される、従って、そののち前面枠１の前面固定部４ａと天面吸入グリル２の前面固定部４ｃを容易に係合させることができる。
【００２１】
（実施の形態２）
次に本発明の第２の実施の形態における空気調和機について図４を用いて説明する。なお、上記実施の形態と同一部分については同一符号を付して、その説明を省略する
図４に示すように、本実施の形態では、前面枠１に配設される背面係止部７aの凸形状部が、天面吸入グリル２の装着方向に対して傾斜部７ｃを有しており、この構成により前面枠１に天面吸入グリル２を着脱させる際、前面枠１の固定部４ｂと天面吸入グリル２の固定部４ｄを支点に、天面吸入グリル２を回転させる際に、前面枠１の背面係止部７ａと天面吸入グリル２の背面係止部７ｂが干渉することなく、スムーズに天面吸入グリル２を着脱させることができる。
【産業上の利用可能性】
【００２２】
以上のように、本発明にかかる空気調和機は、室内ユニットに多少たわみが生じても、天面吸入グリルを前面枠に確実に装着できるもので、着脱式のグリル部を有する家庭用や業務用の空気清浄機、車両用空気清浄機、冷風機等にも適用が可能である。
【図面の簡単な説明】
【００２３】
【図１】本発明の第１の実施形態を示す空気調和機の室内ユニットの斜視図
【図２】同室内ユニットの正面図
【図３】図２のＢ−Ｂ断面図
【図４】本発明の第２の実施形態を示す空気調和機の室内ユニットの部分断面図
【図５】従来の例を示す空気調和機の室内ユニットの斜視図
【図６】同室内ユニットの正面図
【図７】図６のＡ−Ａ断面図
【符号の説明】
【００２４】
１    前面枠
２    天面吸入グリル
３    天面開口部
４ａ    前面固定部（前面枠）
４ｂ    固定部（前面枠）
４ｃ    前面固定部（天面吸入グリル）
４ｄ    固定部（天面吸入グリル）
７ａ    背面係止部（前面枠）
７ｂ    背面係止部（天面吸入グリル）
【図１】
2005140401.tif 000003
【図２】
2005140401.tif 000004
【図３】
2005140401.tif 000005
【図４】
2005140401.tif 000006
【図５】
2005140401.tif 000007
【図６】
2005140401.tif 000008
【図７】
2005140401.tif 000009